(57)【要約】【課題】表示板に表示シールを容易かつ正確に貼り付けることができる新規なコーン用サインキャップの提供。【解決手段】コーン２００に装着されるキャップ本体１０と、このキャップ本体１０の上端に設けられる円形の表示板２０と、この表示板２０に貼り付けられる円形の表示シール３０とを備え、前記表示板２０は、第１のマーカー２２を備えると共に、表示シール３０は、第１のマーカー２２と位置決めするための第２のマーカー３１を備える。これにより、表示板２０に対して表示シール３０を貼り付ける際に、第２マーカー３１を第１マーカー２２と一致させるようにして貼り付ければ、表示がずれたり傾いたりすることなく容易かつ正確に表示シール３０を表示板２０に貼り付けることができる。【選択図】図３
0003207286.tif 000002
【実用新案登録請求の範囲】
【請求項１】
コーンの上端に被せるようにして装着されるキャップ本体と、当該キャップ本体の上端に設けられる円形の表示板と、当該表示板に貼り付けられる円形の表示シールとを備え、
前記表示板は、その表面に第１のマーカーを備えると共に、前記表示シールは、前記第１のマーカーと位置決めするための第２のマーカーを備えることを特徴とするコーン用サインキャップ。
【請求項２】
請求項１に記載のコーン用サインキャップにおいて、
前記表示板は、その表面に前記表示シールを貼り付けるための円形の窪みを備えると共に、その窪みの周縁部に前記第１のマーカーが形成されていることを特徴とするコーン用サインキャップ。
【請求項３】
請求項１または２に記載のコーン用サインキャップにおいて、
前記第１のマーカーが突起であると共に、前記第２のマーカーが前記突起と合致する切り欠きであることを特徴とするコーン用サインキャップ。
【請求項４】
請求項１乃至３のいずれかに記載のコーン用サインキャップにおいて、
前記表示シールの貼着面を覆う剥離紙に、前記マーカー側とそれ以外との領域を分ける分割線が形成されていることを特徴とするコーン用サインキャップ。
【請求項５】
請求項１乃至４のいずれかに記載のコーン用サインキャップにおいて、
前記表示シールに代えて、または前記表示シールと共に前記表示シールが片面に貼着された前記表示板の他面側に凸面鏡を備えたことを特徴とするコーン用サインキャップ。
【考案の詳細な説明】
【技術分野】
【０００１】
本考案は、各種の情報を表示する表示具に係り、特に路上や地上に置かれる円錐型のコーンに取り付けて用いることができるコーン用サインキャップに関するものである。
【背景技術】
【０００２】
一般に工場や各種店舗の敷地内、駐車場などには、通行人あるいは通行車両の規制を目的とした円錐型のコーンが設置されており、最近ではこのようなコーンに各種の標識板や広告媒体を取り付けることで広告や標識の一部として利用するケースが増えてきている。例えば、以下の特許文献１および２には、コーンの円錐部分に表示体を被せると共に、その表示体の一部を張り出させて多彩な表示を可能とした立体標識が開示されている。
【０００３】
また、以下の特許文献３には、コーンの円錐部分の頂部に保持リングを取り付け、その保持リングから水平に延びるアームに表示プレートを備えたパイロン装置が開示されている。さらに、以下の特許文献４には、コーンの上端部分に嵌着させて用いる円板状の道路標示具が開示されている。
【先行技術文献】
【特許文献】
【０００４】
【特許文献１】特開２００８−１３９８０８号公報
【特許文献２】登録実用新案第３１３５７８３号公報
【特許文献３】特開２０１３−１５０００５号公報
【特許文献４】意匠登録第１２０１４９０号公報
【考案の概要】
【考案が解決しようとする課題】
【０００５】
ところで、前記特許文献４に示すような円板状の道路標示具に所望の表示シールを貼り付ける際に、その円板部分と円形表示シールの貼り付け位置を正確に位置決めしないと、表示シールがずれたり表示が傾いたりしてしまったり、あるいは表示シール内に空気が入り込んでしまい、きれいに貼り付けることは容易でなかった。
【０００６】
そこで、本考案の目的は、これらの課題を解決するために案出されたものであり、その目的は、表示板に表示シールを容易かつ正確に貼り付けることができる新規なコーン用サインキャップを提供することにある。
【課題を解決するための手段】
【０００７】
前記課題を解決するために第１の考案は、コーンの上端に被せるようにして装着されるキャップ本体と、当該キャップ本体の上端に設けられる円形の表示板と、当該表示板に貼り付けられる円形の表示シールとを備え、前記表示板は、その表面に位置決め用の第１のマーカーを備えると共に、前記表示シールは、前記第１のマーカーと位置決めするための第２のマーカーを備えることを特徴とするコーン用サインキャップである。
【０００８】
このような構成によれば、前記表示板に対して表示シールを貼り付ける際に、その表示シール側の第２マーカーを表示板側の第１マーカーと一致させるようにして貼り付ければ、表示がずれたり傾いたりすることなく容易かつ正確に表示シールを表示板に貼り付けることができる。
【０００９】
第２の考案は第１の考案において、前記表示板は、その表面に前記表示シールを貼り付けるための円形の窪みを備えると共に、その窪みの周縁部に前記第１のマーカーが形成されていることを特徴とするコーン用サインキャップである。このような構成によれば、その窪みのなかに表示シールが位置するため、表示板が人や物とぶつかっても表示シールが剥がれにくくなる。その一方、窪み内に表示シールを正確に位置決めして貼り付けるのは容易でないが、本考案のように窪みの周縁部に第１のマーカーを形成しておけば、そのマーカー同士を合わせるように貼り付けることで容易かつ正確に窪み内に表示シールを貼り付けることができる。
【００１０】
第３の考案は、第１または第２の考案において、前記第１のマーカーが突起であると共に、前記第２のマーカーが前記突起と合致する切り欠きであることを特徴とするコーン用サインキャップである。このような構成によれば、第１のマーカーである表示板側の突起に対して、第２のマーカーである表示シール側の切り欠きを合致させることで簡単に位置決めすることができる。
【００１１】
第４の考案は、第１乃至３のいずれかに記載のコーン用サインキャップにおいて、前記表示シールの貼着面を覆う剥離紙が、前記マーカー側とそれ以外との領域を分ける切り込み線が形成されていることを特徴とするコーン用サインキャップである。このような構成によれば、マーカー側の剥離紙だけを剥がしてその部分から順に貼り付けることができるため、位置確認や貼り直しが容易にできると共に、一方向から順に貼り付けるようになるため、表示シール内の空気などが入り込むことなく、きれいに貼り付けることができる。
【００１２】
第５の考案は、第１乃至第４のいずれかの考案において、前記表示シールに代えて、または前記表示シールが貼着された前記表示板の裏面側に凸面鏡を備えたことを特徴とするコーン用サインキャップである。このよう構成によれば、単に表示具としてだけでなく、凸面鏡を利用した簡易なカーブミラーや監視用のミラーとしても活用できる。
【考案の効果】
【００１３】
本考案によれば、表示板に対して表示シールを貼り付ける際に、その表示シール側の第２マーカーを表示板側の第１マーカーと一致させるようにして貼り付ければ、表示がずれたり傾いたりすることなく、容易かつ正確に表示シールを表示板に貼り付けることができる。
【図面の簡単な説明】
【００１４】
【図１】本考案に係るコーン用サインキャップ１００の実施の一形態を示す斜視図である。
【図２】（Ａ）は本考案にコーン用サインキャップ１００の正面図、（Ｂ）はその側面図である。
【図３】表示板２０に表示シール３０を貼り付けた状態を示す生命図である。
【図４】図２中Ｓ部を示す部分拡大斜視図である。
【図５】表示シール３０の一例を示す斜視図である。
【図６】第１マーカー２２および第２マーカー３１を用いて位置決めしながら表示板２０に表示シール３０を貼り付ける状態を示す斜視図である。
【図７】表示シール３０の他の例を示す図である。
【図８】（Ａ）は本考案に係るコーン用サインキャップ１００の実施の一形態を示す正面斜視図、（Ｂ）はその側面図、（Ｃ）はその背面斜視図である。
【考案を実施するための形態】
【００１５】
以下、本考案の実施の形態を添付図面を参照しながら説明する。図１乃至図３は本考案に係るコーン用サインキャップ１００の実施の一形態を示したものである。図示するようにこのサインキャップ１００は、路上や地上に配置される樹脂製の円錐型のコーン（いわゆる三角コーン）２００の頂部に被せるようにして装着されるキャップ本体１０と、このキャップ本体１０の上端に設けられる円形の表示板２０と、この表示板２０に貼り付けられる円形の表示シール３０とから構成されている。
【００１６】
キャップ本体１０は下部が開口した末広がりの筒状となっており、図１に示すようにこのキャップ本体１０をコーン２００の頂部に着脱自在かつ密着して被せることができるようになっている。なお、このキャップ本体１０の周面には一対のフック１１，１１が設けられており、図示しないチェーンや紐などが取り付けられるようになっている。
【００１７】
表示板２０は、例えば外径が約２８０ｍｍ、厚さが約３５ｍｍ程度の大きさとなっており、図２および図４に示すように、その表面には例えば深さが約０．５〜２ｍｍ、直径ｄ１が約２６５ｍｍ程度の円形の窪み２１が形成されている。そして、この円形の窪み２１内に円形の表示シール３０が貼り付けられるようになっている。なお、この円形の窪み２１は、表示板２０は片面のみならず裏面側にも同様に形成されている。
【００１８】
また、図３および図４に示すように、この円形の窪み２１の周縁部であってその最頂部には、位置決め用の第１マーカー２２が形成されている。この第１マーカー２２は、具体的には、表示板２０の板厚方向かつ窪み２１の中心方向に突出するような半円状の突起からなっている。なお、この表示板２０は内部空洞でかつ前記キャップ本体１０と一体となっており、具体的にはポリエチレンなどの熱可塑性樹脂を射出成形やブロー成形することで一体的に製造される。
【００１９】
一方、表示シール３０は、図２に示すように、その直径ｄ２が、表示板２０の窪み２１の直径ｄ１と同じかそれよりも小さい円形状になっており、さらに図５に示すように各種情報が印刷された表面側の表示面３２と、その裏面側の貼着面を覆う剥離紙３３とから構成されている。そして、この表示シール３０の表示面頂部には、第２マーカー３１が形成されている。この第２マーカー３１は、具体的には図６に示すように第１マーカー２２の突起と合致する大きさの半円状の切り込みからなっている。
【００２０】
また、図５に示すように、この表示シール３０の貼着面を覆う剥離紙３３は、第２マーカー３１側とそれ以外との領域とを分ける分割線３４が形成されており、この分割線３４を挟んで剥離紙３３が上下に分割可能となっている。
【００２１】
このような構成をした本考案のサインキャップ１００は、前述したように円形の表示板２０に対して円形の表示シール３０を貼り付ける際には、図５に示すようにその表示シール３０側の第２マーカー（突起）３１を表示板２０側の第１マーカーと一致させるようにして貼り付ければ、表示がずれたり傾いたりすることなく容易かつ正確に表示シール３０を表示板２０に貼り付けることができる。
【００２２】
また、この表示板２０の表面に窪み２１を形成し、この窪み２１のなかに表示シール３０が位置してその周縁部がガードされるようになるため、表示板２０が人や物とぶつかっても表示シール３０が剥がれ難くなる。その一方、この窪み２１を設けるとこの窪み２１内に表示シール３０を正確に位置決めして貼り付けるのは容易でないが、前述したようにこの窪み２１の周縁部に第１のマーカー（突起）２２を形成したため、そのマーカー同士を合わせるように貼り付けることで容易かつ正確にその窪み２１内に表示シール３０を貼り付けることができる。
【００２３】
さらに、この表示シール３０の貼着面を覆う剥離紙３３が、第２マーカー３１側とそれ以外との領域が分割線３４を介して切り離されていることから全体を貼った状態でなくともその傾きなどを正確に確認することができる。すなわち、図５に示すように先ず、第２マーカー３１側の剥離紙３３ａだけを剥がしてその貼着面だけを貼り付けることで表示シール３０が正確に貼り付けてあるか否かを確認することができる。
【００２４】
このとき位置がずれていたりした場合には、その貼着面だけを剥がして再度貼り直せば、いちいち全体を剥がすことなく容易に貼り直し作業を行うことができる。そして、正確に位置決めできていることが確認できたならば、残りの剥離紙３３ｂを剥がし下方に向かって順にその表面から押しつけるように貼り付ければ、表示シール３０内に空気などが入り込むことなく、きれいに貼り付けることができる。
【００２５】
ここで表示シール３０の種類としては、図１乃至図５で例示した非常口の他にどのようなものであっても良い。例えば図７に示す「進入禁止」（Ａ）や「駐車禁止」（Ｂ）、「関係者以外立入禁止」（Ｃ）などの警告表示の他に、「足もと注意」（Ｄ）や「頭上注意」（Ｅ）を示す表示シール、あるいは清掃中や工事中を示すマーク、車椅子マークなどあらゆる情報を表示するものを用いることができる。
【００２６】
また、この表示板２０は、片面のみならず両面に表示シール３０を貼り付けることができる。そのため、例えば図８に示すように、片面に貼着式の凸面鏡４０を貼り付ければ、凸面鏡４０を利用した簡易なカーブミラーや監視用のミラーとしても活用することができるだけでなく、同図（Ｃ）に示すように他面に「出庫注意」などの表示シール３０を貼り付ければ、カーブミラーと同時に駐車場の車の出入りなどを周囲に促すための表示具として兼用できる。
【００２７】
また、図１に示すようにキャップ本体１０の側面にビス孔１２を設け、コーン装着後にこのビス孔１２からビス５０をコーン２００側にねじ込んで固定するようにすれば、風に煽られたりコーン２００が倒れたりした場合でも、本考案のサインキャップ１００がコーン２００から脱落・分離してしまったり、盗まれてしまったりするのを防止できる。
【００２８】
また、本実施の形態では、第１マーカー２２および第２マーカー３１は、それぞれ突起、切り欠き状としたが、その他に単にその位置を示す矢印や△印などであっても良く、さらに、これら第１マーカー２２および第２マーカー３１は、それぞれ一定の間隔または上下左右など任意の位置にそれぞれ２つ以上設けても良い。
【符号の説明】
【００２９】
１００…コーン用サインキャップ
２００…コーン
１０…キャップ本体
１１…フック
１２…ビス孔
２０…表示板
２１…窪み
２２…第１マーカー（突起）
３０…表示シール
３１…第２マーカー（切り欠け）
３２…表示面
３２ａ…剥離紙（分割上部）
３２ｂ…剥離紙（分割下部）
３３…剥離紙
３４…切り込み線
４０…凸面鏡
５０…ビス
【図１】
0003207286.tif 000003
【図２】
0003207286.tif 000004
【図３】
0003207286.tif 000005
【図４】
0003207286.tif 000006
【図５】
0003207286.tif 000007
【図６】
0003207286.tif 000008
【図７】
0003207286.tif 000009
【図８】
0003207286.tif 000010